(57)【要約】【課題】  自動車の室内及び部屋空間の音響を向上する為の装置であって、音響装置を変えることなく簡単な部材にて音響を良くすることが出来る音響向上装置の提供。【解決手段】  上面にケイ素含有シート４を貼着した紫檀製円盤ピース１と金箔７を上面に貼着した紫檀製円盤ピース２をオゾンと水槽内に沈めた絶縁性電極１６に高電圧を負荷すると共にエアーポンプ２０から供給したエアーに伴って発生する水の微粒子を飛散させた密閉空間内に所定時間放置する。そして上面にケイ素含有シート４を貼着した紫檀製円盤ピース１ａ，１ｂ・・を四隅に配置すると共に金箔７を上面に貼着した紫檀製円盤ピース２を中央部に配置する。【選択図】    図１
2006154432.tif 000002
【特許請求の範囲】
【請求項１】
自動車の室内及び部屋空間の音響を向上する為の装置であって、上面にケイ素含有シートを貼着したピースと金箔を上面に貼着したピースをオゾンと水中に沈めた絶縁性電極に高電圧を負荷すると共にエアーポンプから供給したエアーに伴って発生する水の微粒子を飛散させた密閉空間内に所定時間放置し、そして上面にケイ素含有シートを貼着したピースを空間の四隅に配置すると共に金箔を上面に貼着したピースを空間中央部に配置したことを特徴とする音響向上装置。
【請求項２】
中心軸部に形成した穴にケイ素粉末を充填したアルミ製の支柱上端に上記ピースを取付けた請求項１記載の音響向上装置。
【請求項３】
中心軸部に形成した穴にケイ素粉末を充填したジュラルミン製の支柱上端に上記ピースを取付けた請求項１記載の音響向上装置。
【請求項４】
上記ピースの上面外側にコーナー面を形成した請求項１、請求項２、又は請求項３記載の音響向上装置。
【請求項５】
自動車の室内及び部屋空間の音響を向上する為の装置であって、ケイ素含有シートと金箔をラミネートしたシートをオゾンと水中に沈めた絶縁性電極に高電圧を負荷すると共にエアーポンプから供給したエアーに伴って発生する水の微粒子を飛散させた密閉空間内に所定時間放置し、そしてケイ素含有シートを空間の四隅に配置すると共に金箔をラミネートしたシートを空間中央部に配置したことを特徴とする音響向上装置。
【請求項６】
自動車の室内及び部屋空間の音響を向上する為の装置であって、金箔をラミネートしたシートをオゾンと水中に沈めた絶縁性電極に高電圧を負荷すると共にエアーポンプから供給したエアーに伴って発生する水の微粒子を飛散させた密閉空間内に所定時間放置し、そして上記の金箔をラミネートしたシートを空間中央部及び四隅に配置したことを特徴とする音響向上装置。
【発明の詳細な説明】
【技術分野】
【０００１】
本発明はオーディオ機器から発生する音響を改善する為の装置に関するものである。
【背景技術】
【０００２】
オーディオ機器に関しては高品質な音を再現する為に従来から色々な研究が行われて来ている。特開平８−２１３８６２号に係る「音響再生装置」は、スピーカの共振周波数以下の低域成分をスピーカに入力することなく良質に再生することが出来る装置である。そこで、オーディオ信号を低域成分と高域成分に分離する分離回路と、低域成分のオーディオ信号周波数を逓倍する周波数逓倍回路と、高域成分と周波数逓倍回路出力を合成してスピーカ側に出力する合成部とを備えている。
【０００３】
特開２００２−１３５８８２号に係る「車載用音響システム」は、複数のソースを複数のユーザが使用する際に、ユーザに違和感を与えることなく、ユーザの利便性の向上を図ることが出来るように構成している。
【０００４】
又特開２００３−１５３３７４号に係る「向上したオーディオ性能を有するフラットパネルサウンドラジエータ」は、低周波の範囲のオーディオプログラムの題材を、効率的、且つ明瞭に生成し、より低い周波数におけるより高いサウンドレベルを含む、高い音圧レベルでサウンドを生成することが可能である。そこで、向上したオーディオ性能を有するフラットパネルサウンドラジエータであって、第１の材料で出来たコアが第2の材料で出来た向かい合う外板間に挟まれたパネルと、オーディオプログラムの題材に対応する振動をパネルに付与するパネルに結合されたエキサイタとを含み、第２の材料は、ヤング係数及びｔａｎδのそれぞれが十分に高い、フラットパネルサウンドラジエータを用いている。
【特許文献１】特開平８−２１３８６２号に係る「音響再生装置」
【特許文献２】特開２００２−１３５８８２号に係る「車載用音響システム」
【特許文献３】特開２００３−１５３３７４号に係る「向上したオーディオ性能を有するフラットパネルサウンドラジエータ」
【発明の開示】
【発明が解決しようとする課題】
【０００５】
このように、オーディオ機器の音響を向上させる為の方法は数多く知られている。本発明は従来に存在しない簡単な方法にて部屋の音響、車内の音響を一段と良くすることが出来る音響向上装置を提供する。
【課題を解決するための手段】
【０００６】
本発明に係る音響向上装置は5個のピースの組合せで構成され、空間の四隅と中央に配置される。この空間は部屋のように仕切られた空間に限らず、周囲が開放されている野外空間でもよく、部屋空間であれば該部屋のコーナー及び中央部に配置され、車の場合であれば車内の四隅と中央天井に配置することが出来る。野外コンサートの場合では、観客席のある四隅と中央部に上記ピースを配置される。
【０００７】
ところで、空間の四隅に配置される上記各ピースとは、紫檀などを材質とした円盤又は角盤の上面にケイ素を含有したフイルムを貼着したものであり、上面と側面のコーナーはＣ面又はＲ面を形成している。又空間中央部に配置される上記ピースとは紫檀などを材質とした円盤又は角盤の上面に金箔を貼着したものであり、そして上面外側にはＣ面又はＲ面を形成している。
【０００８】
空間が比較的小さい場合には、上記ピースはそのままの状態で四隅及び中央部に配置されるが、音楽堂やホール又は野外劇場のように大きな空間では、アルミ製又はジュラルミン製のポール上端に上記ピースを載せた状態で配置する。そしてアルミ製又はジュラルミン製ポールには中心軸部に軸穴を形成し、この軸穴にケイ素粉末を充填している。
【０００９】
しかも、上記ピースはオゾンＯ3と電界放電された水の粒子が充満する密閉空間内にある程度の時間放置されたものであり、このピースが使用される。上記電界放電された水の粒子は水槽内に電極を入れて高電圧を負荷し、同時に水槽底へはエアーポンプから空気を供給するならば、水槽から発生する細かい気泡は電界放電処理された水滴と成って空間に充満する。
【００１０】
一方、本発明の音響向上装置はピース上面にケイ素含有シートや金箔を貼着した場合に限定されず、ケイ素含有シートをそのまま空間四隅に配置し、金箔をラミネートしたシートを空間中央部に配置することも可能である。さらに、金箔をラミネートしたシートを空間四隅と空間中央部に配置する場合もある。ここで、シートの形状は特に限定せず、又シートの大きさは配置する空間に応じて定める。
【発明の効果】
【００１１】
このように、本発明に係る音響向上装置とは、上記ピースやシートを空間の四隅及び中央部に配置するものであり、オーディオ機器から出力される高音は滑らかで歪がなくてクリアーになる。又、車内では特有の低音域のこもりが解消され、音場が豊かに広がる。そして、音の情報量が高く成って、従来聞こえなかった音や音質を聴き取ることが出来る。さらに、全音域での音の抜けが良くなって、生きいきした音楽となる。そして、本発明の音響向上装置は音響装置自体を改善することなく、従来の音響装置から出力される音を良好ならしむことが出来る装置であり、全ての音響装置に対して効果がある。
【実施例】
【００１２】
図１は乗用車の室内に本発明の音響向上装置であるピースを配置した具体例である。乗用車の室内３には５個のピース１ａ，１ｂ・・、２が配置され、ピース１ａ，１ｂ・・は室内３の四隅に配置され、ピース２は天井中央に配置されている。ところで、室内３にはオーディオ機器のスピーカが取付けられ、該スピーカからは色々な音が出力されるが、上記スピーカが取付けられる位置は特に限定しない。一般的な上記ピース１ａ，１ｂ・・が配置される場所に近い位置に取付けられる。
【００１３】
図２は室内３の四隅に配置されるピース１ａ，１ｂ・・を単独で示したものであり、その形状は円盤６を成し、材質は紫檀材が用いられ、上面外周にはコーナー面５が形成されている。そして、この上面にはケイ素を含有したケイ素含有シール４を貼着している。又、図３はピース２を表したもので、その形状は上記ピース１ａ，１ｂ・・と同じように円盤６を成し、材質は紫檀材が用いられ、上面外周にはコーナー面５が形成されている。しかし、このピース２の場合には上面に金箔７が貼着される。
【００１４】
ところで、これら５個のピース１ａ，１ｂ・・、２を室内３の所定の位置に配置されるが、その前に放電加工処理が施される。図４はこれらピース１ａ，１ｂ・・２に電界放電処理を施す概略図であり、密閉空間８にオゾンＯ3と電界を帯びた水の微粒子を充満し、この空間内にピース１ａ，１ｂ・・２を所定時間放置する。放置時間は２４時間〜７２時間が一般的であるが、必ずしもこの時間に限定するものではない。
【００１５】
図５は電界発生装置９の概要(電気回路)を示している。電界発生装置９は複巻き変圧器１０を有し、鉄心１１には一次側巻線１２と二次側巻線１３が巻かれて構成されている。そして、一次側巻線１２には一次側端子１４ａ，１４ｂを有し、二次側巻線１３には同じく二次側端子１５ａ，１５ｂを有している。
【００１６】
そして、同図に示すようにマイナス側の二次側端子１５ａには絶縁性電極１６を接続し、他方のプラス側の二次側端子１５ｂは抵抗を介してアースされている。この絶縁性電極１６は、図６に断面を示しているように、導電板１７を有し、該導電板１７の周囲はウレタン樹脂などの絶縁体１８にて完全被覆されている。勿論、二次側端子１５ａは導電板１７に接続しているが、表面が絶縁体１８にて被覆されている為に電気は流れない。
【００１７】
ここで、導電板１７の材質は問わないが、一般には銅板など電気を良く通す金属板が使用され、又ある程度大きな面積を備えているほうが好ましい。そして、絶縁体１８としてはゴム又は樹脂が使用され、導電板１７を金型にセットして樹脂を射出成形することで造ることが出来る。又は両ゴム板を導電板１７の両面に隙間が残らないように貼り合わせることも可能である。
【００１８】
又、該絶縁体１８は防水ウレタンを真空脱泡して加工することも出来る。そして使用する時には、前記図４に示しているように、絶縁電極１６は水を入れた水槽１９に沈められる。このように、絶縁電極１６を水１０の中に沈め、変圧器１０の一次側巻線１２の両端子１４ａ，１４ｂに約６０００Ｖの高電圧をかけるならば、二次側巻線１３の二次側端子１５ａ，１５ｂには高い交流電圧が発生する。しかし、一方の二次側端子１５ａだけが絶縁性電極１６と成って水中に存在する為に、絶縁性電極１６の周囲には交流電界が形成される。
【００１９】
このように、水槽１９絶縁電極１６を沈めて約６０００Ｖの高電圧を負荷し、水槽１９の底へポンプ２０からエアーを送り込むならば、該エアーは泡と成って浮上すると共に空気中には電界を帯びた水の微粒子が飛び散ることになる。一方、オゾン発生器２１からオゾンＯ3を発生し、該オゾンＯ3は空間に充満している水の微粒子と混ざり合い、密閉空間８に放置しているピース１ａ，１ｂ・・２に作用する。
【００２０】
ここで、水槽１９から発生して空間に飛散する水の微粒子及びオゾンＯ3が該ピース１ａ，１ｂ・・２にどのように作用するかに付いての十分な理論的説明が出来ない点もあるが、出願人は長年にわたって試行錯誤の結果得られた結果である。この密閉空間内で上記のような方法で処理したピース１ａ，１ｂ・・２を自動車の室内四隅及び中央部に配置することで、空間内の音響が向上し、その結果前記効果を得ることが出来る。すなわち、高音は滑らかで歪がなくてクリアーになり、特有の低音域のこもりが解消され、音場が豊かに広がる。そして、従来では聞こえなかった音や音質を聴き取ることが出来る。
【００２１】
図７は上記ピース１ａ，１ｂ・・２と支柱２２を組合わせた形態である。該支柱２２はアルミ製又はジュラルミン製であって、中心軸部に形成した穴にはケイ素粉末２３が充填され、該支柱上端にピース１ａ，１ｂ・・２が取着される。そして、ピース１ａ，１ｂ・・２を取着した支柱２２，２２・・は音楽堂やホールなどの大空間の四隅及び中央部に配置される。この場合、支柱上端のピース１ａ，１ｂ・・２は前記実施例の場合と同じく、四隅に配置される支柱上端のピース１ａ，１ｂ・・にはケイ素含有シート４が貼着され、中央部に配置される支柱上端のピース２には金箔７が貼着されている。
【００２２】
図８は金箔をラミネートしたシートの断面を表しており、金箔７の両面には樹脂製シート２４，２４が貼り合わされて構成している。その形状は一般的に円形又は四角形を成し、このシートを空間の四隅及び中央部に配置することも出来る。勿論、前記ピースの場合と同じく図４に示す電界放電処理が前以て行うことは必要である。
【００２３】
又ケイ素を含有したシートを上記金箔シートと組合わせて配置することもある。すなわち、ケイ素含有シートを空間の四隅に配置し、上記金箔シートを空間の中央部に配置するならば、ピースを用いて前記図１に示した実施例の場合とほぼ同じように作用する。
【図面の簡単な説明】
【００２４】
【図１】乗用車の室内に配置した５個のピース。
【図２】ケイ素含有シートを貼着したピース。
【図３】金箔を貼着したピース。
【図４】ピースの電界放電処理装置。
【図５】電界発生装置。
【図６】絶縁電極の断面図。
【図７】支柱上端にピースを取付けた場合。
【図８】金箔をラミネートしたシート。
【符号の説明】
【００２５】
１  ピース
２  ピース
３  室内
４  ケイ素含有シート
５  コーナー面
６  円盤
７  金箔
８  密閉空間
９  電界発生装置
10  変圧器
11  鉄心
12  １次巻線
13  ２次巻線
14  １次端子
15  ２次端子
16  絶縁性電極
17  導電板
18  絶縁体
19  水槽
20  ポンプ
21  オゾン発生器
22  支柱
23  ケイ素粉体
24  樹脂製シート
【図１】
2006154432.tif 000003
【図２】
2006154432.tif 000004
【図３】
2006154432.tif 000005
【図４】
2006154432.tif 000006
【図５】
2006154432.tif 000007
【図６】
2006154432.tif 000008
【図７】
2006154432.tif 000009
【図８】
2006154432.tif 000010